(57)【要約】  【課題】  比較的簡単な構成で、新規で楽しい時計を提供する。  【解決手段】  この腕時計１は、時刻指示針７と、時刻指示針駆動部８と、時刻指示針７の回転中心９回りに描かれたアニメーションのコマ送りに相当するコマ絵１０を有する動板６と、その動板６を所定角度毎に一時停止しながら円周方向に回転させる動板駆動部１１とを備えている。この構成によって、時刻指示針７により時刻を知ることができるとともに、目の残像現象を利用してコマ絵１０のアニメーションのような動きを楽しむことができ、趣向性を高めた時計を提供できる。  【選択図】  図５
2015021755.tif 000002
【特許請求の範囲】
【請求項１】
時刻指示針(７)と、時刻指示針駆動部(８)と、前記時刻指示針(７)の回転中心(９)回りに描かれたアニメーションのコマ送りに相当するコマ絵(１０)を有する動板(６)と、前記動板(６)を所定角度(θ)毎に一時停止しながら円周方向に回転させる動板駆動部(１１)とを備え、
前記動板駆動部(１１)の駆動によって前記動板(６)を目に残像現象を起こさせる速度で前記所定角度(θ)毎に一時停止させながら回転させることによって前記コマ絵(１０)をアニメーションのように見えるように構成したことを特徴とする時計。
【請求項２】
請求項１に記載の時計において、前記コマ絵(１０)が前記所定角度(θ)毎に略扇形に区分けされて描かれている時計。
【請求項３】
請求項１〜請求項２のいずれかに一項に記載の時計において、前記各コマ絵(１０)は略３６０゜／ｎ（ｎは自然数）に区画され、前記自然数ｎの範囲を
３≦ｎ≦１５に設定してある時計。
【請求項４】
請求項１〜請求項３のいずれかに一項に記載の時計において、前記動板(６)の一回転に要する時間を０．５秒〜１．５秒の範囲内で行なう時計。
【請求項５】
請求項１〜請求項４のいずれかに一項に記載の時計において、前記時刻指示針駆動部(８)と前記動板駆動部(１１)を備えた本体部(２)と前記動板(６)の間に固定物としての表示盤(１２)を設け、必要であれば前記表示盤(１２)に表示物(２３)を描いた時計。
【請求項６】
請求項５に記載の時計において、前記時刻指示針(７)を少なくとも時針(２０)と分針(２１)を含んで構成し、前記本体部(２)側から、前記表示盤(１２)、前記動板(６)、前記時刻指示針(７)の順に配置してある時計。
【請求項７】
請求項１〜請求項６のいずれかに一項に記載の時計において、前記動板(６)を前記コマ絵(１０)が描かれた透明な薄円板で構成した時計。
【請求項８】
請求項２に記載の時計において、周方向に隣り合う前記コマ絵(１０)の境界に前記回転中心(９)から半径方向に延びる境界線(１３)が描かれている時計。
【請求項９】
請求項１〜請求項８のいずれかに一項に記載の時計において、前記コマ絵(１０)の一部又は全部が前記回転中心(９)から周辺部にかけて半径方向の長さが異なるように描かれており、前記動板(６)の回転によって、前記コマ絵(１０)の半径方向の長さが変化する形態に構成してある時計。
【請求項１０】
請求項１〜請求項９のいずれかに一項に記載の時計において、前記動板(６)の回転動作が予め時計に設定された駆動条件や時計の使用者が適宜、設定する駆動条件に基づいて決定される時計。
【請求項１１】
請求項１〜請求項１０のいずれかに一項に記載の時計において、時計の使用者に対して知らせるべき状態を検出する状態検出手段を備えた時計において、前記状態検出手段がその知らせるべき状態の検出を行なったことに応答して前記動板(６)を駆動する時計。
【請求項１２】
回転中心(９)回りに描かれたアニメーションのコマ送りに相当するコマ絵(１０)を有する動板(６)と、前記動板(６)を所定角度(θ)毎に一時停止しながら円周方向に回転させる動板駆動部(１１)と、時計手段とを備え、
前記動板駆動部(１１)の駆動によって前記動板(６)を目に残像現象を起こさせる速度で前記所定角度(θ)毎に一時停止させながら回転させることによって前記コマ絵(１０)をアニメーションのように見えるように構成したことを特徴とする時計。
【発明の詳細な説明】
【技術分野】
【０００１】
本発明は新規で楽しい時計に関する。
【背景技術】
【０００２】
従来から腕時計、置き時計、掛け時計、目覚まし時計、防水時計などの機能・目的に応じて各種の時計が提案、開発されている。
動きや光によって趣向性を向上させた時計も提案されている。
例えば、特許文献１には計時用ムーブメントからの信号を受けて作動する駆動モータを介して文字盤が回転する回転式文字板が開示されている。
特許文献２には、文字板に固定した複数の発光ダイオードの前方にムーブメントの秒針軸に透過板及び回折格子板からなる秒円盤を固定した構成を有し、光源からの光の見え方に変化や動きを持たせることによって趣向性に富み、夜間等の暗い場所に設置しても見えることができる時計が提案されている。
【先行技術文献】
【特許文献】
【０００３】
【特許文献１】実開平５−２３１８４
【特許文献２】特開２００１−２４２２６４
【発明の開示】
【発明が解決しようとする課題】
【０００４】
しかし、上記特許文献１に開示された時計は、人形の動きは予想される範囲内のものであり、機械的動作によって意外で面白い感じを与えるとう点において十分ではなかった。
また、上記特許文献２に開示された時計は光の見え方という点において重点をおいており、人が認識する絵の変化という要素は少ないと考えられる。
本発明の目的は比較的簡単な構成で、新規で楽しい時計を提供することにある。
具体的な目的の一例を示すと、以下の通りである。
（ａ）趣向性を高めた時計を提供する。
（ｂ）機械的な動作によってアニメーション的な見え方を実現する時計を提供する。
なお、上記に記載した以外の発明の課題、その解決手段及びその効果は、後述する明細書内の記載において詳しく説明する。
【課題を解決するための手段】
【０００５】
本発明は多面的に表現できるが、例えば、代表的なものを挙げると、次のように構成したものである。なお、下記各発明において、各符号は後述する実施形態との対応関係を分かりやすくするために一例として示したものであり、本発明の各構成要素は、実施形態に記載した符号に係る構成に限定されないことは言うまでもない。
本発明の時計は、時刻指示針７と、時刻指示針駆動部８と、前記時刻指示針７の回転中心９回りに描かれたアニメーションのコマ送りに相当するコマ絵１０を有する動板６と、前記動板６を所定角度θ毎に一時停止しながら円周方向に回転させる動板駆動部１１とを備え、
前記動板駆動部１１の駆動によって前記動板６を目に残像現象を起こさせる速度で前記所定角度θ毎に一時停止させながら回転させることによって前記コマ絵１０をアニメーションのように見えるように構成したことを特徴とする。  
この構成であれば、時刻指示針により時刻を知ることができるとともに、目の残像現象を利用してコマ絵のアニメーションのような動きを楽しむことができ、趣向性を高めた時計を提供できる。
【０００６】
上記本発明において、前記コマ絵１０が前記所定角度θ毎に略扇形に区分けされて描く構成を採用することもできる。
この構成であれば、前記区分けにより、目の残像現象の作用をコマ絵毎に区別でき、各コマ絵が動きのあるアニメーションとして認識しやすくすることができる。
【０００７】
上記本発明において、前記各コマ絵１０は略３６０゜／ｎ（ｎは自然数）に区画され、前記自然数ｎの範囲を３≦ｎ≦１５に設定することもできる。
この構成であれば、目の残像現象を利用してアニメーションを構成する上で、コマ絵の区画領域を適切に設定することができる。
【０００８】
上記本発明において、前記動板６の一回転に要する時間を０．５秒〜１．５秒の範囲内で行なうように構成することもできる。
この構成であれば、上記各範囲内に設定することで、目の残像現象を良好に利用できる動板の動きとすることができ、アニメーションのような自然な見え方を実現できる。
【０００９】
上記本発明において、前記時刻指示針駆動部８と前記動板駆動部１１を備えた本体部２と前記動板６の間に固定物としての表示盤１２を設け、必要であれば前記表示盤１２に表示物２３を描くこともできる。
表示物としては時刻を表す数字や文字等などや、透明な動板を透かして見える絵などが例示できる。
この構成であれば、前記動板が動いても表示盤は固定されているので、時刻を表す数字など動かない背景を形成することができる。表示物として絵を用いた場合は、コマ絵と表示物の組み合わせによって上記アニメーションの面白さを増すことができる。  
【００１０】
上記本発明において、前記時刻指示針７を少なくとも時針２０と分針２１を含んで構成し、前記本体部２側から、前記表示盤１２、前記動板６、前記時刻指示針７の順に配置することもできる。
この構成であれば、本体部側の表示盤側から見て表示盤の次に動板を配置することで、動板の回転の安定性を向上させることができる。また、時計を見る人から見て時針と分針が動板よりも手前側に存在することになるので、動板に隠れて見にくくなることを防止することができる。
【００１１】
上記本発明において、前記動板６を前記コマ絵１０が描かれた透明な薄円板で構成することもできる。
上記のように薄円板にコマ絵が描かれている構成であれば、透明な部分を通して前記表示盤の表示物を見ることができるので、表示物とコマ絵の組み合わせの面白さを増すことができる。さらに、円板を採用することで、回転中心回りにおいて非対称な動板の構成に比べて回転中心回りのモーメントを均一にすることができ、回転を安定させることができる。
【００１２】
上記本発明において、周方向に隣り合う前記コマ絵１０の境界に前記回転中心９から半径方向に延びる境界線１３が描く構成を採用することができる。
この構成であれば、境界線で各コマ絵の区切りが明確に行われるので、視覚的に動板の回転時に滑らかで自然なアニメーションを表現しやすくなる。
【００１３】
上記本発明において、前記コマ絵１０の一部又は全部が前記回転中心９から周辺部にかけて半径方向の長さが異なるように描かれており、前記動板６の回転によって、前記コマ絵１０の半径方向の長さが変化する形態も採用することができる。
この構成であれば、動板の回転によって、個々のコマ絵の周方向の動きだけでなく、半径方向、即ち、回転中心から周辺部への動きが表現できることになり、見る人にダイナミックな感じを与えることができる。
【００１４】
上記本発明において、前記動板６の回転動作が予め時計に設定された駆動条件や時計の使用者が適宜、設定する駆動条件に基づいて決定することもできる。
駆動条件としては、本発明が適用される時計が有する機能に依存する。一例を挙げれば、使用者が動板駆動設定スイッチを押したときだけ動板が回転する構成や、目覚まし時刻の設定をそのまま動板の駆動時刻を設定すること、歩数計を備えた時計では所定歩数毎に動板を回転させることなど各種の形態が採用できる。
この構成であれば、時計の目的・用途に応じて動板を回転させ、アニメーションを表示させることができ、趣向性を高めることができる。
【００１５】
上記本発明において、時計の使用者に対して知らせるべき状態を検出する状態検出手段を備えた時計において、前記状態検出手段がその知らせるべき状態の検出を行なったことに応答して前記動板６を駆動することもできる。
この構成であれば、時計を持つ使用者に対して、知らせるべき状態を遊び心や趣向性のある形態で告知できる。
本発明の時計は、回転中心９回りに描かれたアニメーションのコマ送りに相当するコマ絵１０を有する動板６と、前記動板６を所定角度θ毎に一時停止しながら円周方向に回転させる動板駆動部１１と、時計手段とを備え、
前記動板駆動部１１の駆動によって前記動板６を目に残像現象を起こさせる速度で前記所定角度θ毎に一時停止させながら回転させることによって前記コマ絵１０をアニメーションのように見えるように構成したことを特徴とする。
前記時計手段としてはアナログ時計、デジタル時計が例示できる。
この構成であれば、時計手段とは別に、機械的な構成でアニメーションを表現できる動板を備えた時計を提供できる。
【発明の効果】
【００１６】
以上説明したように、本発明であれば、比較的簡単な構成でありながらも新規で楽しい時計を提供できる。
【図面の簡単な説明】
【００１７】
【図１】本発明の第１実施形態を示す腕時計の概観の一例を示す図である。
【図２】動板の一例を示す正面図である。
【図３】（ａ）（ｂ）はそれぞれ表示盤の一例を示す正面図である。
【図４】（ａ）（ｂ）（ｃ）はそれぞれ動板の回転動作の一状態を示す正面図である。
【図５】時計の模式的な縦断面図である。
【図６】表示盤と動板の部分縦断面図である。
【発明を実施するための形態】
【００１８】
［第１実施形態］
以下、本発明に係る時計の第１実施形態について腕時計を一例に取り、図面に基づき説明する。
図１に示すように、この腕時計１は一般構成と同じように本体部２にベルト３を取り付けた構成としてある。本体部２の側壁に時刻調整等ツマミ４と動板駆動設定スイッチ５とを設けている。動板駆動設定スイッチ５は動板６を駆動させる条件を設定するためのスイッチである。
【００１９】
図５に示すように、この腕時計１は、時刻指示針７と、時刻指示針駆動部８と、時刻指示針７の回転中心９回りに描かれたアニメーションのコマ送りに相当するコマ絵１０を有する動板６と、その動板６を所定角度毎に一時停止しながら円周方向に回転させる動板駆動部１１とを備えている。
この実施形態では、前記本体部２内に時刻指示針駆動部８と動板駆動部１１を収容しており、その本体部２と動板６の間を区画するように固定物としての表示盤１２を設けている。
つまり、この実施形態の構成では、時計を見る人から見て、動板６の背景側に表示盤１２が配置され、その表示盤１２の背後に時計の機構部（時刻指示針駆動部８と動板駆動部１１）が存在する構成になっている。
【００２０】
（動板の構成）
図２に示すように、動板６には円板状に形成され、その円板上に複数のコマ絵１０が描かれている。各コマ絵１０は略３６０゜／ｎ（ｎは２以上の自然数で３≦ｎ≦１５の範囲が好ましい）で定まる所定角度θを持つ略扇形に形成され、その扇形毎にアニメーションに見える各コマ絵１０が描かれている。
前記ｎの値が大きくなるに従って前記所定角度θは小さくなる。例えば、１８０゜（ｎ＝２），１２０゜（ｎ＝３），９０゜（ｎ＝４），７２゜（ｎ＝５），６０゜（ｎ＝６），５１．４゜（ｎ＝７），４５゜（ｎ＝８），４０゜（ｎ＝９），３６゜（ｎ＝１０），３２．７゜（ｎ＝１１），３０゜（ｎ＝１２），２７．７゜（ｎ＝１３），２５．７゜（ｎ＝１４），２４゜（ｎ＝１５），２２．５゜（ｎ＝１６），２１．７゜（ｎ＝１７），……というように変化する。
上記範囲の分割する数ｎであれば、意図するアニメーションの動きを後述するスップモータの構成において自然なものとすることができる点において好ましい。
なお、上記ｎの更に好ましい範囲は６≦ｎ≦１２である。
各コマ絵１０は、表現しようとするアニメーションに対応して、その絵の大きさ、形状、色などの絵の構成要素を少しつつ変えた形態に構成してある。
図２に示す構成では、所定角度θを３０゜に設定し、その３０゜毎に区分けした１２個のコマ絵１０−１，１０−２、……，１０−１１，１０−１２を描いている。
【００２１】
また、各コマ絵１０−１，１０−２、……，１０−１１，１０−１２は境界線１３で略扇形に区分けされている。境界線１３は周方向に隣り合うコマ絵１０の境目に設けられ、回転中心９から半径方向に延びる線で構成されている。なお、境界線１３は必要により適宜、設けられるもので本発明の必須構成要件ではなく、省略してもよい。
基本的な動板６の機能としては、少なくともコマ絵１０が描かれる面積があればよく、外周縁は表示盤１２に描かれた表示物２３が直接に見えるように凹凸を持って形成することもできる。
【００２２】
動板６は薄く軽量なシート部材で構成することが、動力源の消耗を抑制し、動きを円滑に行なう上で好ましい。シート部材としては透明な合成樹脂シートが採用できる。この透明素材上にコマ絵１０を描くことが好ましい。
シート部材を図２に示すように透明な円板の合成樹脂シートで構成し、その合成樹脂シートにコマ絵１０を描くことによって、動板６と重なる領域範囲において、表示盤１２に描かれた表示物２３は合成樹脂シートの透明な部分を透かして見ることができる。また、動板６を円板とすることで、周方向に凹凸がある構成よりも回転が安定する利点がある。
【００２３】
本明細書に言う「コマ絵」とは、線、三角形や四角形などの幾何学的なもの、白黒の墨絵、自然色によるカラー画像、物語の登場人物など、の見る人の興味を引く全ての視覚的表現を言う。「コマ絵」には夜光塗料・蓄光材料による発光や液晶・ＬＥＤ等の能動的発光も含む。
図２及び図４に示す構成では、コマ絵１０として、ワニ２５（図４参照）と飛び上がる人２４が描かれている。回転中心９から半径方向に延びるような１２匹のワニ２５が描かれている。即ち、ワニ２５の腹側を回転中心９側に向け、口を周辺側に向けて描かれている。各ワニ２５はその体型を最も縮んだ状態から半径方向に延びるように変化しており、口を大きく広げたり、狭めたりするように３０゜毎に変化させて描かれている。また、ワニ２５の口よりも半径方向に離れた位置に、腕、足の動作を変えた人２４がワニ２５から飛び上がるように描かれている。
【００２４】
（表示盤の構成）
図３（ａ）に示す構成では、表示盤１２は動板６とほぼ同じ大きさを持つ円盤で構成してある。この円盤を採用する理由は、透明な部分を有する動板６を採用した場合には、本体部２にある機械的機構が透けて見えることを防止する必要があるからである。図３（ａ）では、表示盤１２に何も絵を描いていない構成が示してあるが、動板６の透明な部分を透けて見える領域に前記した表示物２３、例えば、アニメのサブキャラクターを描くなどの構成を採用することも可能である。
【００２５】
図３（ｂ）に示す構成では、動板６の半径よりも大きい半径を有する表示盤１２を採用し、前記した表示物２３として、動板６を超える部分２６に時刻を示す数字が記載された形態を示している。
動板６は回転するので、時刻を示す数字や記号を表すことができないが、固定物である表示盤１２に時刻を示す数字や記号を表すことで、時刻指示針７の示す時刻を使用者に分かりやすくすることができる。
動板６を超える部分２６に描かれる表示物２３を時刻を示す数字等ではなく、動板６に関係する背景画像や飾り画像等とすることも可能である。
【００２６】
（時刻指示針、時刻指示針駆動部及び動板駆動部の構成）
図３及び図５に示すように、表示盤１２の中央部には軸受１４を備えた開口１５が設けられ、その開口１５から動板６を駆動する動板駆動軸１６と時針２０を駆動する時針駆動軸１７、分針２１を駆動する分針駆動軸１８が腕時計１のガラス面１９側に向けて突出されている。
なお、本実施形態では時刻指示針７は時針２０、分針２１だけで構成されている。
動板駆動軸１６の内側に時針駆動軸１７を設け、その時針駆動軸１７の内側に分針駆動軸１８を設けている。当然のことながら、動板駆動軸１６、時針駆動軸１７、分針駆動軸１８の回転中心９は一致している。
動板駆動軸１６には動板６が接続され、固定された表示盤１２の上方を回転動作するように構成してある。
【００２７】
一方、本体部２には、時刻指示針７を駆動する時刻指示針駆動部８と、動板６を駆動する動板駆動部１１とを備えている。動板駆動部１１は時刻指示針駆動部８の一部の機構を利用して構成しても良いし、又は別の機構で構成しても良い。また、動板駆動部１１用の動力源（電池等）を時刻指示針駆動部８の動力源とは別個に設けることも可能である。
時刻指示針駆動部７は安く構成するために既存の時計駆動エレメントの全部又は一部を利用することもできる。
【００２８】
通常、動板駆動部１１はステップモータで構成され、動板６を所定角度θ毎に一時停止しながら回転させるように制御回路（図示せず）が構成される。
また、動板６の一回転を好ましくは０．５秒〜１．５秒の範囲内で行なっている。所定角度θ毎の移動時間は、その一回転に要する時間を前記自然数ｎで除算した時間となる。
動板駆動設定スイッチ５によって操作された動板６の駆動条件は動板駆動部１１に入力され、機械的作動又は電気的作動によって動板６を回転させる。動板６を常時駆動させるには、電池又はゼンマイなど動力源のエネルギー消耗が激しいので、動板駆動設定スイッチ５を操作した所定時間だけ駆動させるように構成する。
【００２９】
次に動板６を円滑に回転させるための工夫について説明する。
動板６と表示盤１２の間に前記動板６の動きを円滑に行なう抵抗低減手段２２を設けることもできる。
抵抗低減手段２２としては、例えば、動板と表示盤１２の抵抗を低減する回転具、即ち、ベアリングのような部材を表示盤１２側に設けることや、動板６と表示盤１２の間の静電気の発生を抑制する塗料を塗ることなどが例示できる。
この構成であれば、抵抗低減手段２２を設けたことで表示盤１２に対して動板６を円滑に回転できる。
【００３０】
この構成の一例を示したのが図６であり、動板６の表示盤１２側の面にはその全領域に静電気の発生を抑制する帯電防止層２２が形成されている。帯電防止層２２は前記抵抗低減手段２２の一例として示している。帯電防止層２２は帯電防止塗料をプリントすることなどによって形成される。
なお、全面に帯電防止層２２を形成することなく、例えば、円環状などの所定形状に帯電防止層２２を形成する構成も採用できる。
帯電防止層２２などの抵抗低減手段を設ける構成は、必要に応じて採用されるもので、動板６と表示盤１２の間に回転を不安定にする静電気等の抵抗がない場合には不要になるものである。
【００３１】
（本実施形態の動作）
前記したように、各コマ絵１０が描かれた動板６が所定角度θ毎に一時停止しつつ回転することで、目の残像現象を利用して、所謂、パラパラ漫画に近似した作用によってアニメーションの動きをする現象を時計の背景に機械的に実現することができる。
例えば、アニメーションの各シーンに対応するコマ絵１０の絵１０−１，１０−２、……，１０−１１，１０−１２を一時停止しながら、所定角度θ、即ちこの場合は３０゜毎に一旦停止しながら回転するので、各所定角度θ範囲において、それぞれがパラパラ漫画のように一連に動く動画のように見せることができるのである。
即ち、本実施形態に係る腕時計（広義には各種時計）は、機械的にアニメーションを再現するという点においてはフェナキストスコープと近似するが、その具体的構成としては、覗き見る開口としてのスリット及び鏡が不要である点において構成上、全く異なるものである。また、鏡やスリットが不要になることで安価に製造できる利点がある。さらに、本発明は、前記所定角度θ毎に一旦停止することで、回転中心９の回りに回転する動板６であっても、パラパラ漫画のような視覚的作用を実現できる作用を発見した点において価値を有するものである。
動板６の一時停止を伴う回転速度は、目の残像現象を引き起こすことができる速度に設定する。本発明は基本的に、目の残像現象を引き起こしてアニメーションの動きとして人が認識できる所定角度θと回転速度の組み合わせであれば、どのような所定角度θと速度の組み合わせでもよい。
【００３２】
さらに、この動いて見える目の残像現象は、前記境界線１３があることで、所定角度θ毎、例えば、０゜〜３０゜の範囲、３０゜〜６０゜の範囲、……、３３０゜〜３６０゜の範囲という各角度範囲の領域が区分けされて認識されることによって、スムーズに違和感がなくアニメーションとして認識されることになる。
また、コマ絵１０の動きは純粋に機械的に行なわれるので、テレビ画面や液晶表示画面に表示された電子的なアニメーションとは異なる感触・感じがあり、見た人に新規で面白い感じを与えるものである。
【００３３】
この動板６の回転を行なう場合は、本実施形態では、動板駆動設定スイッチ５を押している時間だけ動板を回転させることによって行なうことを基本とする。前記した軽量な合成樹脂シートで動板６を構成しても、動板６を回転させるのには駆動エネルギーが余分に必要であり、腕時計１の電池の消耗を抑えるために、動板駆動設定スイッチ５を押している時間だけ動板６を回転させる構成を採用するのである。
本実施形態に係る腕時計１は、所謂、遊び心を持った人のための時計であり、時刻を確認できる時刻指示針７とは別に、他人に見せて面白い時計であることを楽しむ人に好まれるものである。
【００３４】
図４に示すコマ絵１０の回転動作を示す図に従って説明すれば、３０゜間隔で、ワニ２５が人を食べようとワニ２５の口を広げて閉じる様子が描かれるとともに、人が手足を広げたり、狭めたりして飛び上がっている様子を描いているので、動板６を回転させることによって、ワニ２５が人を食べようと口を開閉し、その動き対応して食べられないように人が必死になって飛び上がっているようなアニメーションが腕時計１の背景に表現されることになる。
【００３５】
図４（ａ）を始めの状態とすれば、図４（ｂ）は動板６を１コマ回転させた状態、図４（ｃ）は動板６を２コマ回転させた状態を示す。  
角度０゜〜３０゜の動板６に着目すると、図４（ａ）では人２４はワニ２５の口に両足を付けた状態から、図４（ｂ）に示すように両足先がワニ２５の口内にある状態へと変化し、次いで図４（ｃ）に示すようにワニ２５の口が大きく広げて、人２４が手を挙げて驚いている様子が示されているので、連続したアニメーションとしては、ワニ２５の口から逃れるように人２４が動いているように見えて面白く感じるものである。そして、このようなアニメーションが各角度範囲θにおいて再現されるので、視覚的効果は大きなものとなる。
【００３６】
本実施形態であれば、動板６に描かれるコマ絵１０の種類を多数組用意することは簡単に行えるので、人気アニメの主人公やキャラクター等をコマ絵１０に描くことで多種多様な消費者の嗜好やニーズに対応することができる。
さらに、動板６の一回転に要する時間はほぼ一定なので、本実施形態のように、秒針がない構成でも一連のアニメーションの中で同じシーンが繰り返される秒数を把握しておけば、秒時間を把握する目安にすることもできる。
【００３７】
［第２実施形態］
本発明に係る時計は予め時計に設定された駆動条件や使用者が設定した駆動条件に基づいて動板の駆動開始条件を適宜、決定するように構成することもできる。
この実施形態では色々な構成が考えられるが、例えば、目覚まし時計のような目覚まし時刻を使用者が設定できる時計であれば、その目覚まし時計の設定時刻に動板６が回転してアニメーションを表示させ、楽しさを増すこともできる。
他には、歩数計と腕時計を組み合わせた腕時計が既に提案されているので、使用者が一区切りと考える歩数（例えば、５０００歩、１万歩など）を計測した時点で動板６を駆動させて、所定歩数を歩いたことを音等で告知するとともに動板６を回転させて腕時計の使用者に知らせる機能を持たせることもできる。
【００３８】
これらの機能は多種多様な目的に使用でき、湿度、温度がある設定値を超えた場合に動板６が回転する構成や、心拍数を検出する心拍数検出手段を備えた腕時計１の構成において、所定心拍数を超えた場合に警戒音と動板６を駆動する構成などが採用できる。
要するに、時計を有する使用者に対して知らせるべき状態を検出する状態検出手段を備えた腕時計において、その知らせるべき状態の検出に対応して動板６を駆動することで、使用者にその知らせるべき状態になったことを強く印象付けることができる構成にするのである。このような構成であれば、音や振動のみで使用者に知らせる形態に比べて、使用者による印象が強くなり、面白さが高まる利点がある。
【００３９】
本発明は上記実施形態以外にも本発明の要旨を変更しない範囲で種々の変形を行うことが可能である。
（１）前記実施形態では腕時計を例に取り説明したが、他の時計、例えば、目覚まし時計、置き時計、掛け時計、飾り時計など、多種多様な時計にも採用することができる。
（２）前記実施形態では時刻調整等ツマミとは別に動板設定ツマミを設けた構成を示したが、時刻調整等ツマミ自体に動板駆動条件を設定するように構成してもよい。
【００４０】
（３）前記実施形態では、時刻指示針が時針、分針のみで構成され、秒針がない構成を示したが、時刻指示針が時針、分針、秒針を含む構成も当然に採用できる。
また、秒時刻を表示する機械式又はデジタル式のスモールセコンドのような機能部を動板の回転領域の外側の表示盤上に設けることも可能である。さらに、透明な部分を備える動板を採用した場合には、その透明な部分から透けて見える位置に所定の機能を有する機能部を設けることも可能である。
（４）本発明において、表示盤、動板の少なくとも一方を液晶等の画像表示板で構成し、動板を純粋に機械的に移動させるとともにコマ絵と表示物の少なくとも一方を電子的な絵の動きを加えた構成を採用することもできる。この構成であると、純粋に機械的な動きと電子的な動きとの融合をさせることができ、また新しい面白さを提供できる利点がある。
（５）本発明に係る各種時計は、時計の一部分である場合も含む。例えば、既存の各種時計において、裏面に本発明の時計を採用する形態や、時計の一部分に本発明の時計を配置する構成も当然に採用できる。当然のことながら、時刻指示針を秒針だけで構成することも可能である。
（６）請求項１２に係る時計は、動板とは別にアナログ的又はデジタル的な時計手段を設ける構成である。この場合は、時刻指示針を有する時計手段を採用した場合でも、時計手段の回転中心と動板の回転中心を一致させる必要はなくなる。本発明の典型的な使い方は、本来の時計手段を有する時計の表示盤に、アニメーションを再現する上記動板を別個に設けるような構成である。
請求項１２に係る動板に関する記載において、請求項２〜請求項１１に係る各請求項の構成をそれぞれ採用することができる。
【符号の説明】
【００４１】
１…腕時計（広く、各種時計を含む概念で使用）
２…本体部
６…動板
７…時刻指示針
８…時刻指示針駆動部
９…回転中心
１０，１０−１，１０−２、……，１０−１１，１０−１２…コマ絵
１１…動板駆動部
１２…表示盤
１３…境界線
２０…時針
２１…分針
２３…表示物
θ…所定角度
【図１】
2015021755.tif 000003
【図２】
2015021755.tif 000004
【図３】
2015021755.tif 000005
【図４】
2015021755.tif 000006
【図５】
2015021755.tif 000007
【図６】
2015021755.tif 000008